(57)【特許請求の範囲】
【請求項１】
指標部を有する表示板と、前記指標部を指示する指針と、前記指針を回動させる指針駆動手段と、前記指針の回動範囲を囲む円形状の後側開口部と前記後側開口部よりも大きい円形状の前側開口部とを有する筒状部と、前記筒状部の前記後側開口部に当接すると共に前記後側開口部から所定幅で視認される環状部を有する装飾部材と、前記表示板を透視する透光性カバーと、を備えた計器装置であって、
前記透光性カバーは、前記筒状部の前記前側開口部に当接する突起部を有することを特徴とする計器装置。
【発明の詳細な説明】
【技術分野】
【０００１】
本発明は、筒状の見返し部材を備えた計器装置に関するものである。
【背景技術】
【０００２】
従来より、指標部を有する表示板を指針にて指示することにより、物理量（例えば、車両速度）を表示する計器装置が種々提案されており、例えば特許文献１に開示されている。斯かる指示計器は、表示板の表示領域よりも外側部分を覆い隠す見返し部材を備えている。見返し部材は、不透明な合成樹脂からなるものであり、指針の回動範囲を囲む筒状部を有している。
【先行技術文献】
【特許文献】
【０００３】
【特許文献１】特許第３７２９４００号公報
【発明の概要】
【発明が解決しようとする課題】
【０００４】
しかしながら、筒状部の開口部が所望の形状（例えば、円形状）にならないため、必ずしも見栄えが良好でない場合があるという問題を有していた。例えば、図６に示すように、環状部１８１を有する装飾部材を備えた計器装置において、成型歪みによって開口部１５０ａが横長の楕円形状になり、左右箇所では環状部１８１が比較的大きな幅Ｄ１で見え、上下箇所では環状部１８１が比較的小さな幅Ｄ２で見えることは、外観上、好ましくない。
本発明は、この問題に鑑みなされたものであり、筒状部の開口部が所望の形状になる計器装置を提供するものである。
【課題を解決するための手段】
【０００５】
本発明は、請求項１に記載したように、指標部４１を有する表示板４０と、前記指標部４１を指示する指針１０と、前記指針１０を回動させる指針駆動手段２２と、前記指針１０の回動範囲を囲む円形状の後側開口部５０ａと前記後側開口部５０ａよりも大きい円形状の前側開口部５０ｂとを有する筒状部５１と、前記筒状部５１の前記後側開口部５０ａに当接すると共に前記後側開口部５０ａから所定幅Ｗで視認される環状部８１を有する装飾部材８０と、前記表示板４０を透視する透光性カバー６０と、を備えた計器装置であって、前記透光性カバー６０は、前記筒状部５１の前記前側開口部５０ｂに当接する突起部６１ａを有するものである。
【発明の効果】
【０００６】
透光性カバーに形成された突起部が筒状部に当接するため、筒状部の開口部が所望の形状に矯正される。
【図面の簡単な説明】
【０００７】
【図１】本発明の実施形態を示す断面図。
【図２】同上実施形態を示す正面図。
【図３】同上実施形態を示す要部拡大断面図。
【図４】同上実施形態を示す要部拡大断面図。
【図５】同上実施形態を示す要部拡大断面図。
【図６】同上実施形態を示す装飾部材の正面図。
【図７】従来例を示す正面図。
【発明を実施するための形態】
【０００８】
以下、添付図面に基づいて、本発明の一実施形態を説明する。計器装置は、指針１０と、回路基板２０と、ケース体３０と、表示板４０と、見返し部材５０と、透光性カバー６０と、背面カバー７０と、装飾部材８０と、を備えている。
【０００９】
指針１０は、各種の合成樹脂によって形成され、後述する目盛部４１を指示する。回路基板２０は、基板本体２１と、基板本体２１の背面側に実装された指針駆動部２２と、基板本体２１の表面側に実装された光源２３，２４，２５と、を備えている。
【００１０】
基板本体２１は、平板状のガラスエポキシ系基材に、指針駆動部２２を駆動させる駆動回路、光源２３，２４，２５を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、光源２３，２４，２５を発光させる。
【００１１】
指針駆動部２２は、可動磁石式駆動装置，ステッピングモータ等からなるものである。指針駆動部２２の回動軸２２ａは、基板本体２１に形成された貫通孔２１ａに挿入され、指針駆動部２２の回動軸２２ａには、指針１０が取り付けられる。指針１０のボス部は、表示板４０に形成された指針挿入孔４０ａに挿入されている。
【００１２】
基板本体２１の駆動回路は、制御部から供給される制御信号に基づいて、指針駆動部２２を駆動して、制御信号に応じた回転角度で回動軸２２ａを回転させる。回動軸２２ａの回転に応じて指針１０も回転する。これによって、指針１０は、車両速度に応じた所定の回転角度で回転し、後述する目盛部４１を指示する。
【００１３】
光源２３，２４，２５は、夫々、１個以上の発光ダイオード等によって構成される。光源２３は、装飾部材８０を光輝させる。光源２４は、表示板４０の目盛部４１を透過照明する。光源２５は、指針１０を光輝させる。
【００１４】
ケース体３０は硬質の合成樹脂からなり、このケース体３０に回路基板２０が固定されている。表示板４０は、指針１０の指示対象である目盛部４１を有している。また、表示板４０の中央は、指針１０のボス部が回転可能に挿入される指針挿入孔４０ａを備えている。
【００１５】
見返し部材５０は、表示板４０の前方に配置され、表示板４０の表示領域（目盛部４１及び指針１０の回動範囲を含む領域）よりも外側の領域をユーザから目隠しするためのものである。
【００１６】
見返し部材５０は、例えば、硬質合成樹脂製で、両端開口の筒状部５１を有する。筒状部５１は、表示板４０の前方に配置され、第一開口部５０ａが装飾部材８０に当接し、目盛部４１及び指針１０の作動範囲を囲む。筒状部５１は、略円錐形状になっており、第二開口部５０ｂは、第一開口部５０ａよりも大きな円形になっている。これによって、この筒状部５１は、前方に向かって広がっている。
【００１７】
透光性カバー６０は、透明な合成樹脂によって形成され、見返し部材５０の第二開口部５０ｂを塞ぐ。これによって、指針１０及び表示板４０を透視可能にすると共に、見返し部材５０内に塵埃が入ることを防止する。透光性カバー６０には、見返し部材５０の第二開口部５０ｂを囲む段差部６１が形成されている。回路基板２０の後面側には、背面カバー７０が配設されている。背面カバー７０は、不透明な合成樹脂からなるものであり、回路基板２０の後面を保護している。
【００１８】
装飾部材８０は、透明な合成樹脂からなるものであり、環状部８１と受光部８２とを有している。装飾部材８０の環状部８１は、見返し部材５０の第一開口部５０ａから所定幅Ｗだけ露出する。装飾部材８０の受光部８２は、光源２３が発した照明光を受光して、環状部８１に導光する。遮光部材９０は、不透明な合成樹脂からなるものであり、環状部８１の下面及び内周面を遮光し、照明光が漏れることを防止する。これにより、環状部８１が所定幅Ｗでシャープなリング状に光輝して視認される。
【００１９】
透光性カバー６０の段差部６１には、見返し部材５０の第二開口部５０ｂに当接する突起部６１ａが形成されている。この突起部６１ａは、段差部６１の少なくとも２箇所に設けられている。透光性カバー６０の突起部６１ａは、点状であっても良いが、線状であることが望ましい。透光性カバー６０の突起部６１ａは、見返し部材５０の第一開口部５０ａが円形状になるように、筒状部５１の形状を矯正する。見返し部材５０の第一開口部５０ａと、透光性カバー６０の段差部６１は、インパネバイザーＭによって隠されている。
【００２０】
本実施形態によれば、透光性カバー６０に設けられた突起部６１ａが見返し部材５０の第一開口部５０ｂに当接することによって、筒状部５１の第一開口部５０ａが真円に近い円形状になり、環状部８１が所定幅Ｗで視認される。なお、本発明は、本実施形態に限定されるものでなく、種々の変形が可能である。
【符号の説明】
【００２１】
１０    指針
２２    指針駆動部（指針駆動手段）
４０    表示板
４１    指標部
５０    見返し部材
５０ａ  第一開口部（後側開口部）
５０ｂ  第二開口部（前側開口部）
５１    筒状部
６０    透光性カバー
６１ａ  突起部
８０    装飾部材
８１    環状部
Ｗ      所定幅
【図１】
0005919756.tif 000002
【図２】
0005919756.tif 000003
【図３】
0005919756.tif 000004
【図４】
0005919756.tif 000005
【図５】
0005919756.tif 000006
【図６】
0005919756.tif 000007
【図７】
0005919756.tif 000008